(57)【要約】【課題】１９インチラックに３．５インチのＨＤＤを高密度で収納した高さ３ＵのＤＥを搭載し、１９インチラックの最上部に無駄が生じないようにする。【解決手段】１９インチラック１９にマウント可能なラックマウント装置１０の筐体１０Ａの高さを３Ｕにし、筐体には引き出し可能な２つの引出部１１，１２を設け、２つの引出部の前側には高さ方向に４段、水平方向に５列並ぶセル５を設けてＨＤＤ３を収納し、後側には電源ユニット１３を設け、ＨＤＤはミッドプレーン１４で接続する。２つの引出部のＨＤＤの上側に配置した制御モジュール１５は、途中に折り返し部１７Ａを持つケーブル保護管１７に挿通した接続ケーブルで筐体の外部接続端子に接続する。引出部を筐体から引き出した時にケーブル保護管の折り返し部に位置するセルの中のＨＤＤを交換する場合には、ケーブル保護管変形装置でケーブル保護管の折り返し部位置を移動させてＨＤＤを取り出す。【選択図】図２
2014211936.tif 000002
【特許請求の範囲】
【請求項１】
筺体と、
前記筺体内に並置され、前記筺体から引き出し可能な第１と第２の引出部と、
前記第１と第２の引出部に設けられ、高さ方向及び水平方向に並んで、複数の記憶装置が配置可能な収納部と、
前記収納部の上側に設けられ、前記複数の記憶装置をそれぞれ制御する制御モジュールと、
前記筺体の外部接続端子と前記制御モジュールとを接続し、前記引出部の引き出し動作による前記制御モジュールの移動に対応した余長部分を備える接続ケーブルと、
前記接続ケーブルの余長部分を挿通し、前記引出部の移動に伴う前記接続ケーブルの変形をスムーズに行わせ、一端が前記接続ケーブルの前記制御モジュールとの接続部近傍の前記引出部側に固定され、他端が前記筺体の底板側に固定され、両端部の間に前記引出部の引き出し動作に伴って移動する折り返し部を備えるケーブル保護管と、
前記折り返し部の位置を移動させるケーブル保護管変形装置と、
を備えることを特徴とするラックマウント装置。
【請求項２】
前記ケーブル保護管は垂直方向だけに変形可能であり、前記折り返し部は前記筐体の天井板側から底板側に円弧状に屈曲し、前記折り返し部と前記ケーブル保護管の両端部との間は、前記セルに重ならない直線状になっていることを特徴とする請求項１に記載のラックマウント装置。
【請求項３】
前記ケーブル保護管の前記折り返し部は、前記第１と第２の引出部が前記筐体内に収納された状態では、前記第１と第２の引出部の、前記電源ユニットから最も遠い列の前記セルの前に位置し、前記第１と第２の引出部の引き出し完了状態では、前記折り返し部は中央の列の前記セルの前に位置することを特徴とする請求項２に記載のラックマウント装置。
【請求項４】
前記ケーブル保護管変形装置は、前記ケーブル保護管の前記天井板側と前記底板側の何れか一方の前記直線状の部分を、前記セル側に移動させることにより、前記ケーブル保護管の折り返し部の位置を移動させることを特徴とする請求項２又は３に記載のラックマウント装置。
【請求項５】
前記ケーブル保護管変形装置は、前記第１と第２の引出部の、前記底板側に設置されたモータと、前記モータの回転軸に固着されたアームと、前記アームの先端部に設けられたローラを備えており、
前記ローラは前記ケーブル保護管と前記第１と第２の引出部の間に挿入されており、
前記モータが回転して前記アームの先端部に設けられた前記ローラが前記ケーブル保護管を引き上げることにより、前記ケーブル保護管の折り返し部位置が移動することを特徴とする請求項１から４の何れか１項に記載のラックマウント装置。
【発明の詳細な説明】
【技術分野】
【０００１】
本出願は、情報処理に使用される１９インチラックに搭載されるラックマウント装置に関する。
【背景技術】
【０００２】
従来、筺体内にハードディスク装置（以後ＨＤＤという）のような記憶装置を複数個収納したユニットをラックに引出可能に搭載したラックマウント装置（特許文献１参照）或いはディスクアレイ装置（特許文献２参照）が知られている。これらの装置はストレージ装置としてデータセンターで使用されることが多い。そして、データセンターでは大量のデータをやり取りする為に、１つのラックに搭載できるＨＤＤの本数、即ち、単位設置面積当たりの容量の増大が求められている。
【０００３】
複数のＨＤＤとその制御装置を収納したディスクエンクロージャ（以後、ＤＥという）が積み重ねて搭載される（以後、マウントされるという）ラックの幅は、米国電子工業会（ＥＩＡ）や日本工業規格（ＪＩＳ）によって１９インチに統一されている。一方、１９インチラックにマウントされる機器の高さは１ユニットを意味する１Ｕが基本単位になっており、ＥＩＡの１Ｕは４４．４５ミリである。
【０００４】
図１（ａ）は、一例のＤＥ１を示しており、このＤＥ１は２Ｕの高さを備え、ＤＥ１内に１２台の３．５インチＨＤＤ３を水平方向に収納している。ＨＤＤ３はＤＥ１内でミッドプレーン（バックプレーンと呼ばれることもある）４に接続されており、図示を省略するが、ＤＥ１のミッドプレーン４よりも後ろ側の内部には制御モジュールや電源装置が搭載されている。図１（ａ）に示したＤＥ１の単位設置面積当たりの容量は６ＨＤＤ／１Ｕである。
【０００５】
また、図１（ｂ）に示すように、２Ｕの高さのＤＥ１内に、２４台の２．５インチＨＤＤ２を収納したＤＥ１も存在する。一方、３．５インチのＨＤＤを１９インチラック内に垂直方向に並べて収納し、高密度実装を図る場合は、ＨＤＤの垂直方向の長さが１４７ｍｍであるのに対して、３Ｕの高さは１３３．３５ｍｍなので、ＤＥには４Ｕの高さが必要である。更に、１９インチラックにマウントされた複数のＤＥに収納されたＨＤＤの内、交換修理が必要なＨＤＤが発生した場合は、ＤＥに収納された他のＨＤＤを動作させたまま故障したＨＤＤの交換を行う保守（活性保守）が行われる。そして、活性保守を行うために、ＤＥから故障したＨＤＤを抜き出すことからも、ＤＥの高さを４Ｕにしているものが一般的である。
【先行技術文献】
【特許文献】
【０００６】
【特許文献１】特開２００７−４５３８号公報
【０００７】
【特許文献２】特開２００４−２２０５９号公報
【発明の概要】
【発明が解決しようとする課題】
【０００８】
ところが、一般的な１９インチラックは、運搬や設置上の制限から約２ｍの高さで製造され、４２Ｕ相当の高さなので、４Ｕの高さのＤＥ１−４Ｕをこれにマウントすると、図１（ｃ）の右側の図に示すように最上部に２Ｕ分のデッドスペースが生じる問題点がある。即ち、１９インチラックには、４Ｕの高さのＤＥが１０台しかマウントできず、最上部に２Ｕ分の無駄が生じるという課題がある。一方、図１（ｃ）の左側の図に示すように、１９インチラックに３Ｕの高さのＤＥ１−３Ｕをマウントした場合は、１９インチラックの最上部に無駄が生じない。
【０００９】
１つの側面では、本出願は、ＨＤＤを高密度に筐体内にマウントしても活性交換を容易に行うことができるラックマウント装置を提供することを目的とする。
【課題を解決するための手段】
【００１０】
実施形態の一観点によれば、筺体と、筺体内に並置され、筺体から引き出し可能な第１と第２の引出部と、第１と第２の引出部に設けられ、高さ方向及び水平方向に並んで、複数の記憶装置が配置可能な収納部と、収納部の上側に設けられ、複数の記憶装置をそれぞれ制御する制御モジュールと、筺体の外部接続端子と制御モジュールとを接続し、引出部の引き出し動作による制御モジュールの移動に対応した余長部分を備える接続ケーブルと、接続ケーブルの余長部分を挿通し、引出部の移動に伴う接続ケーブルの変形をスムーズに行わせ、一端が接続ケーブルの制御モジュールとの接続部近傍の引出部側に固定され、他端が筺体の底板側に固定され、両端部の間に引出部の引き出し動作に伴って移動する折り返し部を備えるケーブル保護管と、折り返し部の位置を移動させるケーブル保護管変形装置とを備えることを特徴とするラックマウント装置が提供される。
【図面の簡単な説明】
【００１１】
【図１】（ａ）は２Ｕの高さのＤＥ内に１２台の３．５インチＨＤＤが水平方向に収容された比較技術のＤＥを示す斜視図、（ｂ）は、２Ｕの高さのＤＥ内に１２台の２．５インチＨＤＤが垂直方向に収容された比較技術のＤＥを示す正面図、（ｃ）は１９インチラックに積み重ねて搭載可能な３Ｕの高さのＤＥと４Ｕの高さのＤＥの数を比較して示す説明図である。
【図２】（ａ）は本出願のラックマウント装置の構造を示す斜視図、（ｂ）は（ａ）に示したラックマウント装置の筐体のみの斜視図、（ｃ）は（ａ）に示したラックマウント装置の筐体から２つの引出部の内の１つが引き出された状態を示す斜視図である。
【図３】（ａ）は図２（ｂ）に示したラックマウント装置を平面視した状態を示す平面図、（ｂ）は図２（ａ）に示したラックマウント装置を矢印Ｃ方向から見た正面図、（ｃ）は（ａ）に示したラックマウント装置を矢印Ａ−Ａ線から見た側面図、（ｄ）は（ａ）に示したラックマウント装置を矢印Ｂ−Ｂ線から見た側面図である。
【図４】（ａ）は図３（ｃ）に示されるケーブル保護管の近傍の引出部の状態を拡大して示す部分側面図、（ｂ）は（ａ）の状態からケーブル保護管変形装置が動作してケーブル保護管の折り返し部の位置が変化した状態を示す部分側面図、（ｃ）は（ｂ）に示したケーブル保護管の変形部分だけを取り出して示す部分拡大斜視図、（ｄ）は（ｃ）に示したケーブル保護管変形装置を形成する部品を分解して示す分解斜視図である。
【図５】ラックマウント装置の筐体から引出部の内の１つが引き出された時のケーブル保護管の変形を説明する説明図である。
【図６】ケーブル保護管変形装置に使用されるモータを駆動する回路の一実施例の構成を示す回路図である。
【図７】本出願のラックマウント装置における電気回路の一実施例の配置を示す平面図である。
【図８】ラックマウント装置が１９インチラックに１３台収容された時の各ラックマウント装置とホストコンピュータとの接続を説明する側面図である。
【図９】本出願のラックマウント装置に内蔵される制御モジュールがケーブル保護管変形装置を駆動する手順の一実施例を示すフローチャートである。
【図１０】本出願のラックマウント装置に内蔵される制御モジュールがケーブル保護管変形装置を駆動する手順の他の実施例を示すフローチャートである。
【発明を実施するための形態】
【００１２】
以下、添付図面を用いて本出願の実施の形態を、具体的な実施例に基づいて詳細に説明する。なお、図１で説明したＨＤＤには引き続き同じ符号３を付して説明する。
【００１３】
図２（ａ）は１９インチラック１９に実装する本出願のラックマウント装置１０の一実施例の構造を示すものである。ラックマウント装置１０には、１９インチラック１９に取り付けられる幅と、３Ｕの高さを備える筐体１０Ａがあり、筐体１０Ａの中には２つの引出部として、第１の引出部１１と第２の引出部１２が収納されている。筐体１０Ａは、図２（ｂ）に示すように、底板１０Ｂ、天井板１０Ｃ及び３Ｕの高さの側板１０Ｓを備えている。
【００１４】
第１の引出部１１と第２の引出部１２は、図２（ｃ）に示すように、筐体１０Ａに対して独立に、１９インチラック１９の前面側から前方に引き出し可能になっている。矢印Ｄは第１の引出部１１と第２の引出部１２の筐体１０Ａからの引き出しと、筐体１０Ａへの収納方向を示している。なお、以後、１９インチラック１９の前面側を第１の引出部１１と第２の引出部１２の前方、１９インチラック１９の後ろ側を第１の引出部１１と第２の引出部１２の後方と言う。第１の引出部１１と第２の引出部１２は、筐体１０Ａの側板１０Ｓの内側に取り付けられたスライドレール１６によって、１９インチラック１９の前面側に引き出し可能となっている。そして、第１の引出部１１と第２の引出部１２は、その引き出し方向に対して左右対称の構造になっている。
【００１５】
第１の引出部１１と第２の引出部１２は、筐体１０Ａと同様に底板、天井板及び側板を備えて箱状に形成しても良いが、トレイ状に形成してトレイ上に部材を積み重ねても良い。第１の引出部１１と第２の引出部１２の前方側には、高さ方向に４段、水平方向に５列並んで、各個に３．５インチのＨＤＤ３を挿入可能なセル５を備えたＨＤＤ収納部６が設けられている。ＨＤＤ収納部６のセル列は、第１の引出部１１と第２の引出部１２の前方側から第１列、第２列とし、第３例が中央列とし、最も後方のセル列を第５列とする。ＨＤＤ収納部６の筐体１０Ａの側板１０Ｓ側には、セル５に挿入されたＨＤＤ３に、信号の授受可能に接続するミッドプレーン１４が設けられている。
【００１６】
また、第１と第２の引出部１１，１２の、筐体１０Ａの天井板１０Ｃ側には、ミッドプレーン１４に接続し、セル５に挿入されたＨＤＤ３の各個を制御する制御モジュール１５が設けられている。制御モジュール１５はＩＯＭ（入出力モジュール）とも呼ばれる。この実施例では制御モジュール１５は２つに分かれているが、制御モジュール１５は分かれていなくても良い。第１と第２の引出部１１，１２の後方側には電源ユニット１３が設けられている。電源ユニット１３は、ＨＤＤ収納部６に収納されたＨＤＤ３、ミッドプレーン１４及び制御モジュール１５等に電力を供給する。
【００１７】
ここで、図７を用いてラックマウント装置１０における電気的な回路の一実施例の配置を説明する。ラックマウント装置１０の筐体１０Ａには、引き出し可能に第１と第２の引出部１１，１２が収納されている。第１と第２の引出部１１，１２の前方側に搭載された制御モジュール１５の中には、ＨＤＤを駆動する駆動部１５ＤとＨＤＤから読み出されたデータを伸長する伸長部１５Ｅがあり、コネクタ１５Ｃで接続されている。また、第１と第２の引出部１１，１２の後方側に搭載された電源ユニット１３は駆動部１５Ｄに電源を供給している。そして、伸長部１５Ｅは接続ケーブル７によって、ラックマウント装置１０の後端部に設けられた外部接続端子１８に接続している。更に、第１と第２の引出部１１，１２は、筐体１０Ａに対して引き出されるので、接続ケーブル７には第１と第２の引出部１１，１２の移動距離よりも長い余長部分７Ｅがある。
【００１８】
図２（ｂ）に戻って説明を続けると、第１と第２の引出部１１，１２の間の部分に夫々設けられたケーブル保護管１７は、図７で説明した接続ケーブル７の余長部分７Ｅを内蔵してこれを保護すると共に横方向への動きを規制するものであり、可撓性を備えている。本願で使用するケーブル保護管１７は樹脂製であり、上下方向にしか変形しないものであるので、ケーブル保護管１７は一方の引出部の引き出し動作時に他方の引出部に影響を与えない。ケーブル保護管１７の一端は接続ケーブルの制御モジュール１５との接続部近傍に固定され、他端は筐体１０Ａの底板１０Ｂ上に固定される。従って、ケーブル保護管１７には折り返し部１７Ａがある。
【００１９】
図３（ａ）は、図２（ｂ）に示したラックマウント装置１０を平面視した状態を示している。また、図３（ｂ）は図２（ａ）に示したラックマウント装置１０を矢印Ｃ方向から見た正面図であり、図３（ｃ）は図３（ａ）に示したラックマウント装置１０を矢印Ａ−Ａ線から見た側面図である。更に、図３（ｄ）は図３（ａ）に示したラックマウント装置１０を矢印Ｂ−Ｂ線から見た側面図である。これらの図から、ケーブル保護管１７の、制御モジュール１５側の一端はＨＤＤ収納部６の上側にある制御モジュール１５の近傍に固定されており、他端は筐体１０Ａの底板１０Ｂ上に固定されていることが分かる。また、第１の引出部１１が筐体１０Ａから引き出されると、ケーブル保護管１７の折り返し部１７Ａの位置が移動することも分かる。図５は、ラックマウント装置の筐体から引出部の内の１つが引き出された時のケーブル保護管１７の変形を説明する説明図である。
【００２０】
図４（ａ）は、図３（ｃ）に示されるケーブル保護管１７の折り返し部１７Ａの近傍の第１の引出部１１の状態を拡大して示すものである。ラックマウント装置の筐体１０Ａから引出部の内の１つ（ここでは第１の引出部１１）が引き出された時は、ケーブル保護管１７の折り返し部１７ＡはＨＤＤ３が挿入されたＨＤＤ収納部６の中央列のセル５の前に位置している。この状態では、ＨＤＤ収納部６の他の列のセル５に挿入されたＨＤＤ３は交換可能である。ところが、ＨＤＤ収納部６の中央列のセル５に挿入されたＨＤＤ３の交換が必要な場合は、ケーブル保護管１７の折り返し部１７Ａが邪魔するので、ＨＤＤ収納部６の中央列のセル５に挿入されたＨＤＤ３は交換できない。
【００２１】
そこで、本実施例では、ＨＤＤ収納部６の第５列の第１の引出部１１の底板の上にケーブル保護管変形装置２０を設けている。ケーブル保護管変形装置２０は、図４（ｄ）に示すように、ブラケット２１、モータ２２、アーム２３及びローラ２４を備える。ブラケット２１は第１の引出部１１の底板の上に取り付けられ、モータ２２はブラケット２１に取り付けられる。また、アーム２３はモータ２２の回転軸に取り付けられ、アーム２３の自由端部にはローラ２４が回転自在に取り付けられる。ローラ２４は、第１の引出部１１の底板とケーブル保護管１７の間に挿入されており、通常はモータ２２によってアーム２３の先端部が第１の引出部１１の底板の上に位置するので、ローラ２４は上昇していない。
【００２２】
一方、図４（ａ）に示した状態でモータ２２に通電が行われ、モータ２２が回転するとアーム２３が回転し、アーム２３の先端部に取り付けられたローラ２４が上昇し、ケーブル保護管１７が引き上げられる。図４（ｂ）はアーム２３の先端部に取り付けられたローラ２４が上昇し、ケーブル保護管１７が引き上げられた状態を示すものである。ケーブル保護管１７が引き上げられると、ケーブル保護管１７の折り返し部１７Ａの位置がＨＤＤ収納部６の中央列のセル５の前から第４列のセル５の前に移動する。図４（ｃ）はケーブル保護管１７が上方に引き上げられた状態を示している。また、図４（ｃ）にはケーブル保護管１７の中に挿通された接続ケーブル７が示してある。接続ケーブル７の数は２本に限定されるものではない。
【００２３】
図６はケーブル保護管変形装置２０に使用されるモータ２２を駆動する回路の一実施例の構成を示す回路図である。制御モジュール１５はＨＤＤ３を駆動制御するので、ＨＤＤ３にエラーが発生すると、エラーが発生したＨＤＤ３の位置を特定でき、これを保守作業者に連絡して交換させることができる。そして、エラーが発生したＨＤＤ３の位置がＨＤＤ収納部６の中央の列のセル５にあるＨＤＤ３の場合は、制御モジュール１５にある駆動部（モータ制御部）１５Ｄに指令を出し、ケーブル保護管変形装置２０のモータ２２を駆動することができる。
【００２４】
なお、図４（ａ）に示す状態からケーブル保護管変形装置２０のモータ２２が回転し、ローラ２４が上昇してケーブル保護管１７の折り返し部１７Ａの位置が図４（ｂ）の状態になった図面には、実際の寸法が記載されているものではない。ケーブル保護管変形装置２０は、ケーブル保護管１７の引き上げ時に、ケーブル保護管１７の折り返し部１７Ａの位置が中央列の前から第４列のセル５の前に移動するように、モータ２２の回転量、アーム２３の長さ及びローラ２４の直径を定めれば良い。ケーブル保護管変形装置２０によるケーブル保護管１７の引き上げ量が不足する場合にはケーブル保護管変形装置２０を２つ設けることも可能である。また、ケーブル保護管変形装置２０には、モータ２２の代わりにソレノイドやその他のアクチュエータを使用することもできる。
【００２５】
また、図４（ａ）、（ｂ）に示すように、ケーブル保護管変形装置２０のブラケット２１の位置を固定してしまうと、第５列の最下段のセル５にはＨＤＤを挿入することができない。しかし、ブラケット２１をスライド式にして第４列のセルの前に移動できるようにしておけば、第５列の最下段のセル５にもＨＤＤを挿入、或いはエラー時に交換することができる。更に、モータ２２を駆動するための専用スイッチを制御モジュール１５に設けておくことも可能である。そうすれば、エラーが発生したＨＤＤ３の位置がＨＤＤ収納部６の中央の列のセル５にあるＨＤＤ３の場合、作業者が目視でこの状態を見て専用スイッチを押して、ケーブル保護管変形装置２０のモータ２２を駆動することができる。
【００２６】
図８に示すように、３Ｕの高さを備えた本出願のラックマウント装置１０は、最下段に制御装置８を搭載して、１９インチラックに１３台搭載ことが可能である。そして、１９インチラックに搭載こされた各ラックマウント装置１０は、接続ワイヤ１０Ｗによって連結した後にホストコンピュータ９に接続することができる。
【００２７】
次に、ラックマウント装置１０の制御モジュール１５がＨＤＤの異常（エラー）を検出し、エラーを起こしたＨＤＤを保守作業者に知らせて交換してもらう場合の制御手順の一実施例を図９に示すフローチャートにより説明する。制御モジュール１５が行うＨＤＤの異常判定は、例えば所定時間毎に行われる。
【００２８】
ステップ９０１では保守中フラグがオンか否かが判定される。保守中フラグについては後述される。保守中フラグがオフの場合（ＮＯ）はステップ９０２に進み、１９インチラックに搭載されたＤＥ（ラックマウント装置）内の何れかのＨＤＤにエラーがあるか否かが判定される。ＤＥ内の何れのＨＤＤにもエラーがない場合はこのルーチンを終了する。一方、ＤＥ内の何れかのＨＤＤにエラーがある場合は、ステップ９０３に進み、ＨＤＤにエラーがあるＤＥと異常ＨＤＤのあるＨＤＤ収納部の場所（どの列か）が特定される。
【００２９】
続くステップ９０４では、異常ＨＤＤのあるＨＤＤ収納部の列が中央列にあるＨＤＤか否かが判定され、異常ＨＤＤのあるＨＤＤ収納部の列が中央列である場合（ＹＥＳ）にはステップ９０５に進み、そうでない場合にはステップ９０６に進む。ステップ９０５ではケーブル保護管変形装置のモータを駆動し、アームを回転させてローラを持ち上げる動作が行われ、ステップ９０６に進む。ステップ９０６では、ＨＤＤに異常があることを保守作業者に連絡してステップ９０７に進む。
【００３０】
ステップ９０７では保守者業者によって異常のＨＤＤが交換され、保守が完了したか否かが判定される。異常のＨＤＤが交換されておらず、保守が完了していない時（ＮＯ）はステップ９０８に進み、保守中フラグがオンにされてこのルーチンを終了する。ステップ９０８において保守中フラグがオンにされると、次にこの制御が開始された時にステップ９０１の判定がＹＥＳになり、ステップ９０２からステップ９０６が行われずにステップ９０７に進む。
【００３１】
保守者業者によって異常のＨＤＤが交換され、保守が完了したことがステップ９０７で判定されるとステップ９０９に進み、保守中フラグがオフにされてステップ９１０に進む。ステップ９１０ではローラ位置が上方か否かが判定され、ローラ位置が上方でない場合はこのルーチンを終了する。一方、ステップ９１０でローラ位置が上方であると判定された場合はステップ９１１に進み、ケーブル保護管変形装置のモータを駆動し、アームを逆回転させてローラを下げる動作が行われた後にこのルーチンを終了する。
【００３２】
以上のような制御モジュールの動作により、ＤＥ内でエラーを発生させたＨＤＤの位置がＨＤＤ収納部のどの列にあっても、保守作業員が到着してＤＥを１９インチラックから引き出した時には、エラーを起こしたＨＤＤを交換することができる。
【００３３】
図１０は、ラックマウント装置１０の制御モジュール１５がＨＤＤのエラーを検出し、エラーを起こしたＨＤＤを保守員に知らせて交換してもらう場合の制御手順の別の実施例を示すフローチャートである。この実施例でも制御モジュール１５が行うＨＤＤの異常判定は、例えば所定時間毎に行われる。なお、別の実施例の制御において、前述の実施例と同じ制御については、同じステップ番号を付して説明する。
【００３４】
ステップ９０１では保守中フラグがオンか否かが判定される。保守中フラグについては後述される。保守中フラグがオフの場合（ＮＯ）はステップ９０２に進み、１９インチラックに搭載されたＤＥ（ラックマウント装置）内の何れかのＨＤＤにエラーがあるか否かが判定される。ＤＥ内の何れのＨＤＤにもエラーがない場合はこのルーチンを終了する。一方、ＤＥ内の何れかのＨＤＤにエラーがある場合は、ステップ９０３に進み、ＨＤＤにエラーがあるＤＥと異常ＨＤＤのあるＨＤＤ収納部の場所（どの列か）が特定される。続くステップ９０４では、異常ＨＤＤのあるＨＤＤ収納部の列が中央列にあるＨＤＤか否かが判定される。ここまでの制御手順は前述の実施例と同じである。
【００３５】
ステップ９０４における判定が、異常ＨＤＤのあるＨＤＤ収納部の列が中央列である場合（ＹＥＳ）にはステップ１００１に進み、そうでない場合にはステップ１００３に進む。異常ＨＤＤのあるＨＤＤ収納部の列が中央列である場合に進むステップ１００１では、ローラ位置が下方であるか否かが判定される。そして、ローラ位置が下方である場合はステップ１００２に進み、ケーブル保護管変形装置のモータを駆動し、アームを回転させてローラを持ち上げる動作が行われ、ステップ１００５に進む。一方、ステップ１００１の判定で、ローラ位置が上方である場合（ＮＯ）は何もせずにステップ１００５に進む。
【００３６】
また、ステップ９０４の判定で、異常ＨＤＤのあるＨＤＤ収納部の列が中央列でない場合（ＹＥＳ）に進むステップ１００３では、ローラ位置が下方であるか否かが判定される。そして、ローラ位置が下方である場合（ＹＥＳ）は何もせずにステップ１００５に進み、ローラ位置が下方でない場合（ＮＯ）はステップ１００４に進む。ステップ１００４ではケーブル保護管変形装置のモータを駆動し、アームを逆回転させてローラを下げる動作が行われ、ステップ１００５に進む。
【００３７】
ステップ１００５ではＨＤＤに異常があることを保守作業者に連絡してステップ１００６に進む。ステップ１００６では保守者業者によって異常のＨＤＤが交換され、保守が完了したか否かが判定される。異常のＨＤＤが交換されておらず、保守が完了していない時（ＮＯ）はステップ１００８に進み、保守中フラグがオンにされてこのルーチンを終了する。ステップ１００８において保守中フラグがオンにされると、次にこの制御が開始された時にステップ９０１の判定がＹＥＳになり、ステップ９０２からステップ９０４及びステップ１００１からステップ１００５が行われずにステップ１００６に進む。保守者業者によって異常のＨＤＤが交換され、保守が完了したことがステップ１００６で判定されるとステップ１００７に進み、保守中フラグがオフにされてステップこのルーチンを終了する。
【００３８】
以上のような制御モジュールの動作により、ＤＥ内でエラーを発生させたＨＤＤの位置がＨＤＤ収納部のどの列にあっても、保守作業員が到着してＤＥを１９インチラックから引き出した時には、エラーを起こしたＨＤＤを交換することができる。
【００３９】
以上、本出願を特にその好ましい実施の形態を参照して詳細に説明した。本出願の容易な理解のために、本出願の具体的な形態を以下に付記する。
【００４０】
（付記１）  筺体と、
前記筺体内に並置され、前記筺体から引き出し可能な第１と第２の引出部と、
前記第１と第２の引出部に設けられ、高さ方向及び水平方向に並んで、複数の記憶装置が配置可能な収納部と、
前記収納部の上側に設けられ、前記複数の記憶装置をそれぞれ制御する制御モジュールと、
前記筺体の外部接続端子と前記制御モジュールとを接続し、前記引出部の引き出し動作による前記制御モジュールの移動に対応した余長部分を備える接続ケーブルと、
前記接続ケーブルの余長部分を挿通し、前記引出部の移動に伴う前記接続ケーブルの変形をスムーズに行わせ、一端が前記接続ケーブルの前記制御モジュールとの接続部近傍の前記引出部側に固定され、他端が前記筺体の底板側に固定され、両端部の間に前記引出部の引き出し動作に伴って移動する折り返し部を備えるケーブル保護管と、
前記折り返し部の位置を移動させるケーブル保護管変形装置と、
を備えることを特徴とするラックマウント装置。
（付記２）  前記筐体と前記第１と第２の引出部の間に、前記第１と第２の引出部を独立にスライド移動させるスライドレールが設けられていることを特徴とする付記１に記載のラックマウント装置。
（付記３）  前記ケーブル保護管は垂直方向だけに変形可能であり、前記折り返し部は前記筐体の天井板側から底板側に円弧状に屈曲し、前記折り返し部と前記ケーブル保護管の両端部との間は、前記収納部に重ならない直線状になっていることを特徴とする付記１又は２に記載のラックマウント装置。
（付記４）  前記ケーブル保護管の前記折り返し部は、前記第１と第２の引出部が前記筐体内に収納された状態では、前記第１と第２の引出部の、前記外部接続端子から最も遠い列の前記収納部の前に位置し、前記第１と第２の引出部の引き出し完了状態では、前記折り返し部は中央の列の前記セルの前に位置することを特徴とする付記３に記載のラックマウント装置。
（付記５）  前記ケーブル保護管変形装置は、前記ケーブル保護管の前記天井板側と前記底板側の何れか一方の前記直線状の部分を、湾曲変形させることにより、前記ケーブル保護管の折り返し部の位置を移動させることを特徴とする付記１から４の何れかに記載のラックマウント装置。
【００４１】
（付記６）  前記ケーブル保護管変形装置は、前記第１と第２の引出部の、前記底板側に設置されたモータと、前記モータの回転軸に固着されたアームと、前記アームの先端部に設けられたローラを備えており、
前記ローラは前記ケーブル保護管と前記第１と第２の引出部の間に挿入されており、
前記モータが回転して前記アームの先端部に設けられた前記ローラが前記ケーブル保護管を引き上げることにより、前記ケーブル保護管の折り返し部位置が移動することを特徴とする付記５に記載のラックマウント装置。
（付記７）  前記ケーブル保護管変形装置は、前記ローラによる前記ケーブル保護管の引き上げ時に、前記ケーブル保護管の折り返し部位置が隣りの列の前記セルの前に移動するように、前記モータの回転量、前記アームの長さ及び前記ローラの直径が定められていることを特徴とする付記６に記載のラックマウント装置。
（付記８）  前記第１又は第２の引出部から取り外される前記記憶装置が、前記中央の列とは別の列の前記収納部の中に存在する場合は、前記制御モジュールは前記ケーブル保護管変形装置に動作指示を与えないことを特徴とする付記７に記載のラックマウント装置。
（付記９）  前記第１又は第２の引出部から取り外される前記記憶装置が、前記中央の列の前記収納部の中に存在する場合は、前記第１又は第２の引出部が前記筐体から引き出される前に、前記制御モジュールは前記ケーブル保護管変形装置に動作指示を出力して動作を完了させることを特徴とする付記７に記載のラックマウント装置。
（付記１０）  前記収納部の前記側板側には、前記収納部に挿入される前記記憶装置と前記制御モジュールとを信号授受可能に接続するミッドプレーンがそれぞれ設けられていることを特徴とする付記１から９の何れかに記載のラックマウント装置。
【００４２】
（付記１１）  前記収納部と前記外部接続端子との間の領域には、前記制御モジュールに電源を供給する電源ユニットが設けられていることを特徴とする付記１から１０の何れかに記載のラックマウント装置。
（付記１２）  前記外部端子は、ラックの上下方向にマウントされた他のラックマウント装置と接続されることにより、信号授受可能であることを特徴とする付記１から１１の何れかに記載のラックマウント装置。
（付記１３）  前記筐体は、前記他のラックマウント装置と共にホストコンピュータに接続されて制御されることを特徴とする付記１２に記載のラックマウント装置。
（付記１４）  前記記憶装置は３．５インチのハードディスク装置であることを特徴とする付記１から１３の何れかに記載のラックマウント装置。
（付記１５）  前記ラックは１９インチラックであることを特徴とする付記１２に記載のラックマウント装置。
【符号の説明】
【００４３】
１、１０    ＤＥ（ラックマウント装置）
３    ３．５インチハードディスク装置（ＨＤＤ）
４、１４    ミッドプレーン
５    セル（収納部）
６    ＨＤＤ収納部
７    接続ケーブル
１０Ａ    筐体
１１，１２    引出部
１５    制御モジュール
１７    ケーブル保護管
１７Ａ    折り返し部
１８    外部接続端子
１９    １９インチラック
２０    ケーブル保護管変形装置
【図１】
2014211936.tif 000003
【図２】
2014211936.tif 000004
【図３】
2014211936.tif 000005
【図４】
2014211936.tif 000006
【図５】
2014211936.tif 000007
【図６】
2014211936.tif 000008
【図７】
2014211936.tif 000009
【図８】
2014211936.tif 000010
【図９】
2014211936.tif 000011
【図１０】
2014211936.tif 000012